(57)【要約】      （修正有）【課題】家屋解体工事および樹木が生い茂る開墾用に裁断および伐採機能を有する両掴みバケットは、背板側と上面側とを狭窄したときの噛み合わせ部の摩滅と損傷が著しい。【解決手段】両掴みバケット本体を構成する背板側と上面側の噛み合わせ部は、背板側においては、背板側から直角に立ち上がる左右側面板噛み合わせ部と正面部噛み合わせ部、上面側においては、左右側面板噛み合わせ部および正面櫛歯装着下部噛み合わせ部の構成による、正面噛み合わせ部と左右側面板噛み合わせ部の３組の対になる噛み合わせ部には、爪部及び刃部を有するアタッチメントの装着を施し、狭窄支持を目的とする場合は爪部側を内側へ向け装着し、樹木の切断を目的とする場合は刃部を内側へ向け装着することにより、バケット本体に損傷と摩滅を軽減することが可能となり建設現場での作業効率が向上し、メンテナンスも減少した。【選択図】図２
2005105785.tif 000002
【特許請求の範囲】
【請求項１】
建設機械、作業車両の作業アタッチメント先端部に装着される両掴みバケットにおいて、両掴みバケット本体に装着された３組の対になる爪部あるいは刃部を特徴とするバケット。
【請求項２】
請求項１に記載の爪部あるいは刃部を噛み合わせ支持用と切断用を選択し容易に交換できることを特徴とする請求項１記載の両掴みバケット
【発明の詳細な説明】
【発明の詳細な説明】
【０００１】
【技術分野】
【０００２】本発明は建設機械の作業アタッチメント先端部両掴みバケットにおける噛み合わせ支持爪部あるいは切断刃部に関する。
【背景技術】
【０００３】一般に、両掴みバケットは油圧ショベル、トラクタショベル等の建設機械、作業車両の作業アタッチメント先端部に装着され、掘削作業などを主に行う。装着されるバケットとしては、積込物の種類、掘削作業の種類など、その用途によりスタンダードの櫛歯状の爪付きバケットのほか、櫛歯状の爪なし砂用大型バケット、岩石用の強化バケットなどが用いられている。また、最近では家屋解体工事および樹木地帯の開墾を目的として樹木の裁断および伐採機能を有する両掴みバケットも登場している。【０００４】木造家屋や鉄筋コンクリート建造物の解体および樹木が生い茂る開墾用に裁断および伐採機能を有する両掴みバケットは、多機能を有しているため、家屋解体工事および原野など樹木の多い建設現場では汎用されるに至っているが、両掴みバケット背板側と上面側とを噛み合わせたときの噛み合わせ部の摩滅と損傷が著しいため、その補修および修繕の頻度は多く散見された。
【発明が解決しようとする課題】
【０００５】本発明により、両掴みバケットの背板側と上面側は接合される支持部を持ち、支持部を基点として背板側と上面側が噛み合わさり、家屋解体工事や樹木の裁断および伐採作業を行う際、両掴みバケットの背板側と上面側の噛み合わせ部に裁断用の爪および刃を取り付けることにより、バケットの延命及び保守・点検を容易に提供する。
【問題を解決するための手段】
【０００６】上記課題を解決するための請求項１の両掴みバケット本体を構成する背板側と上面側の噛み合わせ部は、背板側においては、背板側から直角に立ち上がる左右側面板噛み合わせ部と正面部噛み合わせ部、上面側においては、左右側面板噛み合わせ部および正面櫛歯装着下部噛み合わせ部の構成による、正面噛み合わせ部と左右側面板噛み合わせ部の３組の対になる噛み合わせ部には、爪部及び刃部を有するアタッチメントの装着を施し、狭窄支持を目的とする場合は爪部側を内側へ向け装着し、家屋解体工事および樹木の切断を目的とする場合は刃部を内側へ向け装着することにより、家屋解体工事および樹木が生い茂る開墾用については裁断および伐採機能お使い、その後バケットとしての機能により土砂の掬い取り、掘削作業を一台の作業車両により完結できる。また、バケット本体に損傷と摩滅を軽減することが可能となり建設現場での作業効率が向上し、メンテナンスも減少した。
【発明を実施するための最良の形態】
【０００７】図１は油圧ショベルの建設機械の車輌全体を示す側面図であり、作業車両Ａ、ブーム１、油圧シリンダー２、３支持部４、５、そして作業アタッチメント先端部両掴みバケット部Ｂにより構成されているが、バケット部Ｂは背板側７と上面側６が支持部５を基点として開閉し家屋および樹木などを挟み切断し、その後通常掘削作業、そして土砂などを掬い取ることを目的としている。【０００８】続いて図２に示すように、先端部両掴みバケット部ａの拡大図であるが、支持部５を基点として開口状態を示すもので、上面側の先端には櫛歯状の突起１１を有し、正面部に装着された爪部および刃部１２と、側面板６に装着された爪部および刃部１４により構成される。また、背板側は正面部に装着された爪部および刃部１３と、側面板７に装着された爪部および刃部１５により構成される。３組みの対に装着された爪部および刃部は、バケット部の開閉による噛み合わせにより切断などを目的に取付ける。なお、装着された爪部および刃部１３、１５は複数箇所のボルトにより固定されるが、爪部および刃部は片面の形状であるから、１８０度回転させることにより爪部と刃部どちらかを選択する事ができる。バケット部の背板側と上面側が閉じた状態では、掘削作業、土砂の掬い取りなど通常のバケットとしての機能を使う。【０００９】図３は先端部両掴みバケット部前方向から見た正面図ｂで上面側２０の先端には櫛歯状の突起１１を有し、通常のバケットの機能である掘削作業、土砂の掬い取り時の削り取り部分であり、家屋解体工事および樹木など裁断および伐採を効率的に行うため、背板側２１との接点に装着された爪部２３および刃部２２を装着した状態を示すものである。爪部２３を使用した場合と刃部２２を使用した場合双方を表現した分図であり、爪部２３および刃部２２は、１８０度回転させることにより爪部２３と刃部２２を選択するものである。【００１０】図４は先端部両掴みバケット部の背板側の側面板と正面部、上面側の側面板と正面部の噛み合わせ部に装着される爪部２３および刃部２２アタッチメントの図であり、片面は小さな爪の連続面を有し、片面は刃入れ処理を施した面を有している。
【発明の効果】
【００１１】本発明により先端部両掴みバケット部の損傷が著しく改善され、爪部および刃部のみの交換により保守が簡便になり、バケット部の対衝撃性の向上、摩滅の減少、作業車両の耐久性の向上が実現できた。
また、家屋解体工事および樹木の生い茂る環境下などでの、建設作業における車両種類の削減による経費削減が実現できた。
【図面の簡単な説明】
【図１】  油圧ショベルの側面図
【図２】  両掴みバケットの側面図
【図３】  両掴みバケットの正面図
【図４】  噛み合わせ部アタッチメント
【符号の説明】
Ａ  油圧ショベル作業車両
Ｂ  両掴みバケット部
ａ  両掴みバケット側面体
ｂ  両掴みバケット正面体
１  ブーム
２  油圧シリンダー
３  油圧シリンダー
４  作業アタッチメント作動支持部
５  両掴みバケット部支持部
６  両掴みバケットの上面側
７  両掴みバケットの背板側
１１  両掴みバケットの上面側掘削櫛歯
１２  両掴みバケットの上面側正面櫛歯装着下部噛み合わせ部
１３  両掴みバケット背板側の正面部噛み合わせ部
１４  両掴みバケット上面側の側面板噛み合わせ部
１５  両掴みバケット背板側の側面板噛み合わせ部
２０  両掴みバケットの上面側掘削櫛歯支持部
２１  両掴みバケット背板側の土砂積込みアーム
２２  噛み合わせ部に装着されるアタッチメント刃部
２３  噛み合わせ部に装着されるアタッチメント爪部
【図１】
2005105785.tif 000003
【図２】
2005105785.tif 000004
【図３】
2005105785.tif 000005
【図４】
2005105785.tif 000006